(57)【特許請求の範囲】
【請求項１】
利用者の入力情報を表示画面で確認させながら目的処理を行う表示端末装置であって、
情報を前記表示画面に表示する表示手段と、
前記表示画面に表示された情報の追加、訂正または確認意思を含む情報を入力するための入力手段と、
前記表示画面に表示するための表示画面データおよびその部分画像データを記憶する主記憶手段と、
前記表示手段によって表示される表示画面を編集するための表示画面編集領域と、前記表示画面上に表示される部分画像の部分画像データを格納する部分画像格納領域とを有する表示制御記憶手段と、
少なくとも前記表示画面に表示された情報に基づいて、少なくとも前記表示画面への表示候補となる部分画像の部分画像データを前記主記憶手段から前記表示制御記憶手段の部分画像格納領域に転送しておく第１の制御手段と、
前記転送後における前記入力手段からの情報入力に応じて、前記部分画像格納領域に転送された部分画像データのうち、前記入力手段から入力された情報に対応する部分画像データを前記部分画像格納領域から読み出して前記表示画面編集領域に書き出す第２の制御手段と
を含み、
前記入力手段は、前記表示画面に表示される少なくとも１つのタッチキーを含み、
前記表示手段は、前記タッチキーの操作による情報入力に応じて、前記表示画面の表示内容の一部を更新し、
前記第１の制御手段は、前記タッチキーに対応付けられ、前記表示内容の一部の更新によって前記表示画面に表示される部分画像の部分画像データを前記部分画像格納領域に格納する
表示端末装置。
【請求項２】
利用者の入力情報を表示画面で確認させながら目的処理を行う表示方法であって、
表示画面データに基づく表示画面に表示された情報と、入力手段から入力された情報とを監視し、
少なくとも前記表示画面に表示された情報に基づいて、前記表示画面への表示候補となる部分画像の部分画像データを主記憶手段から表示制御記憶手段の部分画像格納領域にあらかじめ転送しておき、
前記転送後に前記入力手段から入力された情報に基づいて、前記表示画面へ表示すべき部分画像の部分画像データを前記部分画像格納領域から読み出して、前記表示制御記憶手段が有する、部分画像データを用いて表示画面データを編集するための表示画面編集領域に書き出すことを含み、
前記入力手段は、前記表示画面に表示される少なくとも１つのタッチキーを含み、
前記タッチキーの操作による情報入力に応じて、前記表示画面の表示内容の一部を更新し、
前記タッチキーに対応付けられ、前記表示内容の一部の更新によって前記表示画面に表示される部分画像の部分画像データを前記部分画像格納領域に格納する
表示端末装置での表示方法。
【請求項３】
前記表示端末装置は、公営競技の投票券自動発売機である
請求項１記載の表示端末装置。
【発明の詳細な説明】
【０００１】
【発明の属する技術分野】
本発明は、競馬、競輪、競艇、オートレース等の公営競技で使用される投票券の自動発売機をはじめ、利用者に対して画面確認を要求する設置型の端末装置に適用して有効な技術に関する。
【０００２】
【従来の技術】
この種の投票券の自動発売機では、利用者が現金を投入し、マークシート方式の記入済の投票カードを挿入することにより、その投票カードの記入情報を光学的に読み取って投票券を発行する機構を有している。
【０００３】
自動発売機の内部には投票カードの記入情報を光学的手段で読み取った読み取り情報を入力し、これを投票情報として認識する情報処理システム（コンピュータシステム）が搭載されており、読み取り情報が利用者の投票意図と一致しているか否かを確認するために、利用者に対して投票情報を表示・確認させるためのＣＲＴまたは液晶ディスプレイ等の表示装置を有している。
【０００４】
利用者は、表示装置上に表示された自身の投票情報を視覚的に確認し、その上で発券ボタン等を押すことで自動発売機から投票券が発行される構成となっている。
【０００５】
ところで、前記投票カードの記入に際して、記入すべき箇所（ボックス）に記入（マーク）がなされていない、記入（マーク）が薄い、記入ミス等がある場合、前記表示装置の画面上にエラー箇所を表示し、画面上のタッチパネルの操作による修正を促す機能を備えている。
【０００６】
近年、利用者への利便性を向上させるために、表示画面をよりユーザフレンドリなものとする傾向があり、これにともなって表示部品点数も増大し、画面も利用者のあらゆる操作を予定したものを用意しておく必要が生じてきた。
【０００７】
【発明が解決しようとする課題】
ところが、自動発売機の内部のコンピュータシステムは、汎用のコンピュータシステムを用いており、表示画面の制御は、圧縮状態の画面データを中央処理装置（ＣＰＵ）のメインメモリから解凍しながら表示制御用のメモリに転送するため、中央処理装置（ＣＰＵ）の負荷が大きくなり、処理が遅延しがちであった。
【０００８】
特に、この種の自動発売機ではレース開始までの時間に大量の発券処理を実行しなければならないため、利用者に対して素早い画面切り換えが要求されていた。
【０００９】
この解決策としては、表示制御用のメモリを大規模なものとし、多数の表示データをあらかじめ表示制御用メモリに転送しておき、このメモリ内で表示データの編集を行えば高速化が可能であるが、大容量のメモリが必要となり、かつ制御系のハードウエアコストが高くなるという問題があった。
【００１０】
本発明は、このような点に鑑みてなされたものであり、このような利用者端末において、簡易な構成でかつ中央処理装置（ＣＰＵ）を高負荷をかけることなく高速が画像表示が可能な技術を提供することを技術的課題とする。
【００１１】
【課題を解決するための手段】
本発明は、前記課題を解決するために、表示制御記憶手段において、表示手段に表示される表示画面を編集するための表示画面編集領域と、前記表示画面上に表示される部分画像を格納する部分画像格納領域とを設け、表示手段に表示された情報と、入力手段の入力情報とを監視しながら、少なくとも次の表示候補となる部分画像データを主記憶手段から部分画像格納領域に転送しておき、次に入力手段の入力情報に基づいて、対応する部分画像データを前記部分画像格納領域から読み出して前記表示画面編集領域に書き出すようにした。
【００１２】
これにより、中央処理装置（ＣＰＵ）に負荷をかけることなく、表示画面での画面の切り換えが可能となり、低コストで見かけ上高速表示が可能な表示端末が実現する。
【００１３】
【発明の実施の形態】
【実施例】
以下、図面に基づいて、本発明の実施の形態を説明する。
図１は、本発明の実施例である投票券自動発売機を示す正面図である。
本実施例の投票券自動発売機１は、投票券排出口２と、投票カード挿入口３と、現金入出金口４とが設けられ、その下方にタッチパネルが設けられた表示画面５が配置されている。
【００１４】
利用者は、投票カード挿入口３より投票カードを挿入し、現金入出金口４より現金を投入し、表示画面５に表示された読み取り内容を確認した上で投票券排出口２より所望の投票券の排出を受けるようになっている。また、現金の換わりに的中投票券を投票カード挿入口３から挿入し、次の投票券購入に割り当ててもよい。
【００１５】
さらに、この投票券自動発売機１は、払い戻し機能を備えており、的中投票券を投票カード挿入口３より挿入すると、対応する払戻金が現金入出金口４より払い戻されるようになっている。
【００１６】
投票券自動発売機１の内部の機能構成をブロック図で示したものが図４である。中央制御装置（ＣＰＵ）６を中心に、バス１２で接続されたＲＡＭ７、表示制御部８、表示制御メモリ１０および表示装置１１で構成されている。表示装置１１は前述の表示画面５を表示可能なＣＲＴまたは液晶ディスプレイ等で構成されている。
【００１７】
また、図示は省略するが、前記バス１２には、投票カードを読み取るための光学読み取り装置、現金入出金口４から投入された現金を判別するための金種識別装置、投票券の券面を印刷するための印刷装置等が接続されている。
【００１８】
前記ＲＡＭ７には、本投票券自動発売機１を機能させるためのＯＳやアプリケーションプログラム、ワークデータ、表示データ等が格納されている。
【００１９】
表示制御部８は、表示制御メモリ１０と表示装置１１とを制御し、中央処理装置（ＣＰＵ）６の管理とは独立して表示制御のみを実行処理する処理装置である。
【００２０】
図５は、表示制御メモリ１０の内部構成を示したものである。
この表示制御メモリ１０はＶＲＡＭ(Video RAM)で構成されており、通常の表示画面編集領域１０ａとともに、拡張編集部として表示データ格納領域１０ｂを有している点が特徴である。
【００２１】
表示データ格納領域１０ｂには、画面表示の必要な部品画像が格納されるようになっている。この部品画像とは、たとえば数字や文字等の比較的小さな領域で表示される部品画像である。
【００２２】
この表示データ格納領域１０ｂに格納される部品画像データは、前述のＲＡＭ７に格納されており、必要に応じて中央処理装置（ＣＰＵ）６より表示制御部８を介して表示制御メモリ１０の表示データ格納領域１０ｂに読み込まれるようになっている。
【００２３】
通常の表示制御メモリでは、表示画面５の表示内容を書き換える場合に、一画面分の全ての画像を更新するが、本実施例では画面の更新が一部の領域だけでよいような場合、その一部の領域の部品画像を表示データ格納領域１０ｂにあらかじめ用意しておき、この部品画像を表示制御部８の制御により表示画面編集領域１０ａに読み込むことにより中央処理装置（ＣＰＵ）６に負荷をかけることなく画面の表示更新が行えるようになっている。
【００２４】
更新する画面をあらかじめ想定して表示画面を用意してく場合には、表示画面編集領域１０ａを用意しておくべき画像分だけ確保しておかなければならないが、本実施例の投票券自動発売機１等のように画面の一部のみを更新すればよいような表示制御の場合、更新すべき比較的小さな領域の部品画像のみをあらかじめ表示データ格納領域１０ｂに用意しておけばよく、表示制御メモリ１０の規模をそれほど大きくする必要はない。
【００２５】
次に、図８のフロー図に基づいて本実施例における中央処理装置（ＣＰＵ）６と表示制御部８との処理手順を説明する。
【００２６】
まず、図２に示すような画面が表示画面５に表示された場合を想定する。この図２に示す画面では利用者が３枠分の枠番連勝の掛け金を現金入出金口４から投入したにもかかわらず、投票カード挿入口３から挿入したカードには２枠分の枠番しか記入していなかった場合に表示される画面である。
【００２７】
すなわち、利用者は、「１−２」、「２−３」のみしかマークせずに３枠分の連勝投票を行ったか、あるいは最後の枠番がマークの記入ミスまたはマークが薄いために読み取れなかったことが原因と考えられる。
【００２８】
このとき、中央処理装置（ＣＰＵ）６は、次に操作入力可能なタッチキーを抽出する（ステップ８０１，８０２）。ここで表示画面５が図２のような表示をしていた場合、中央処理装置（ＣＰＵ）６は、次に利用者が入力するタッチキーを予測する。ここで図２の画面では「１〜６」の数字キー、「行取消」、「訂正」、「カード返却」のいずれかが操作可能である。したがって、中央処理装置（ＣＰＵ）６は、これらのいずれかのキーが押されたときに必要となる部品画像データをＲＡＭ７から読み出して表示制御部８を介して表示制御メモリ１０の表示データ格納領域１０ｂにあらかじめ格納しておく（ステップ８０３）。図７および図８はこのときの部品画像データの例を示している。
【００２９】
すなわち、利用者の操作としては、エラー部分、すなわち表示画面５上で「？−？」の表示された部分（図２で符号２０４で示す部分）の数値を入力すること、または「カード返却」の操作キーが押されることが予想されるため、中央処理装置（ＣＰＵ）６は、図７に示したような「１」〜「６」の数値の部品画像データ（７０１〜７０６）、および図９に示すような部品画像データ（９０１）をそれぞれＲＡＭ７から表示制御メモリ１０の表示データ格納領域１０ｂに格納しておく（ステップ８０３）。
【００３０】
次に、利用者がたとえば「３−４」を枠番として指定するために、まず「３」のタッチキー（図２で符号２０３で示す部分）を押した場合（ステップ８０４）、表示制御部８は、表示制御メモリ１０の表示データ格納領域１０ｂから「３」の部品画像データ（図７で符号７０３で示す部品画像データ）を読み出して（ステップ８０５）、表示画面編集領域１０ａに展開されている画像データ中の「？」が表示されている部分（図３の符号３０１で示す領域）にこの「３」の画像を配置して新しい画像とする（ステップ８０６，８０７））。
【００３１】
一方、ステップ８０３において、利用者が「カード返却」のタッチキー（図２で符号２０５で示す部分）を押した場合（ステップ８０４）、表示制御部８は、表示制御メモリ１０の表示データ格納領域１０ｂから図９に示す部品画像データ９０１を読み出して（ステップ８０５）、表示画面編集領域１０ａに展開されている画像データ中の該当部分（図６の符号６０１で示す領域）にこの部品画像データ９０１を配置して新しい画像とする（ステップ８０６，８０７）。
【００３２】
このように本実施例によれば、表示制御メモリ１０を拡張するだけで、中央処理装置（ＣＰＵ）６に負荷をかけることなく、表示画面の更新を高速に行うことができる。
【００３３】
以上実施例に基づいて説明したが、本発明は前記実施例に限定されるものではなく、以下の付記的事項を含むものである。
（付記的事項）
（付記１）  利用者の入力情報を表示画面で確認させながら目的処理を行う表示端末装置であって、
入力情報を表示する表示手段と、
表示装置に表示された情報の追加、訂正または確認意思を入力する入力手段と、
前記表示手段に表示するための表示画面データおよびその部分画像データを記憶する主記憶手段と、
前記表示手段に表示される表示画面を編集するための表示画面編集領域と、前記表示画面上に表示される部分画像を格納する部分画像格納領域とを有する表示制御記憶手段と、
前記表示手段に表示された情報と、入力手段の入力情報とを監視し、少なくとも表示候補となる部分画像データを前記主記憶手段から前記表示制御記憶手段の部分画像格納領域に転送しておく第１の制御手段と、
前記入力手段の入力情報に基づいて、前記第１の制御手段を経由することなく、対応する部分画像データを前記部分画像格納領域から読み出して前記表示画面編集領域に書き出す第２の制御手段とからなる表示端末装置。
（付記２）  利用者の入力情報を表示画面で確認させながら目的処理を行う表示方法であって、
表示手段に表示された情報と、入力手段の入力情報とを監視し、
前記監視情報に基づいて、表示候補となる部分画像データを主記憶手段から表示制御記憶手段の部分画像格納領域にあらかじめ転送しておき、
前記入力手段の入力情報に基づいて、表示すべき部分画像データを前記部分画像格納領域から読み出して前記表示画面編集領域に書き出す表示端末装置での表示方法。
（付記３）  利用者の入力情報を表示画面で確認させながら目的処理を行う表示プログラムであって、
表示手段に表示された情報と、入力手段の入力情報とを監視し、
前記監視情報に基づいて、表示候補となる部分画像データを主記憶手段から表示制御記憶手段の部分画像格納領域にあらかじめ転送しておき、
前記入力手段の入力情報に基づいて、表示すべき部分画像データを前記部分画像格納領域から読み出して前記表示画面編集領域に書き出すコンピュータ実行可能な表示プログラム。
（付記４）  利用者の入力情報を表示画面で確認させながら目的処理を行う表示プログラムであって、
表示手段に表示された情報と、入力手段の入力情報とを監視し、
前記監視情報に基づいて、表示候補となる部分画像データを主記憶手段から表示制御記憶手段の部分画像格納領域にあらかじめ転送しておき、
前記入力手段の入力情報に基づいて、表示すべき部分画像データを前記部分画像格納領域から読み出して前記表示画面編集領域に書き出すプログラムを格納したコンピュータ実行可能な記録媒体。
（付記５）  前記表示端末装置は、公営競技の投票券自動発売機である付記１記載の表示端末装置。
【発明の効果】
本発明によれば、表示制御記憶手段を多少拡張するだけで、中央処理装置（ＣＰＵ）を高負荷をかけることなく低コストで高速な画面の切り換えが可能な表示端末装置を実現できる。
【図面の簡単な説明】
【図１】  本発明の実施例である投票券自動発売機を示す正面図
【図２】  実施例の表示画面の表示例（１）
【図３】  実施例の表示画面の表示例（２）
【図４】  実施例の表示制御の機能部を示すブロック図
【図５】  実施例の表示制御メモリの構成を示すブロック図
【図６】  実施例の表示画面の表示例（３）
【図７】  実施例の部品画像データを示す図（１）
【図８】  実施例の処理手順を示すフロー図
【図９】  実施例の部品画像データを示す図（２）
【符号の説明】
１  投票券自動発売機
２  投票券挿入口
３  投票カード挿入口
４  現金入出金口
５  表示画面
６  中央処理装置（ＣＰＵ）
７  ＲＡＭ
８  表示制御部
１０  表示制御メモリ
１０ａ  表示画面編集領域
１０ｂ  表示データ格納エリア
１１  表示装置
２０３  数値入力ボタン領域
２０４  入力エラー表示
２０５  カード返却ボタン領域
３０１  表示更新領域
６０１  表示領域
７０１〜７０６  部品画像データ
９０１  部品画像データ
【図１】
0005066315.tif 000002
【図２】
0005066315.tif 000003
【図３】
0005066315.tif 000004
【図４】
0005066315.tif 000005
【図５】
0005066315.tif 000006
【図６】
0005066315.tif 000007
【図７】
0005066315.tif 000008
【図８】
0005066315.tif 000009
【図９】
0005066315.tif 000010